(57)【特許請求の範囲】
【請求項１】
加熱処理を施すことによって記録媒体に色材を定着させて画像を記録する画像記録装置のための情報処理装置であって、
加熱処理手段によって記録媒体に所定の加熱処理を施した結果に基づき、前記記録媒体の分子構造が変化する熱変化温度に関する情報を取得する取得手段と、
前記取得手段により取得された前記情報と対応する熱変化温度よりも低い温度を、前記記録媒体に対応づけた前記加熱処理のための定着温度情報として記憶する記憶手段と
を備え、前記取得手段は、前記所定の加熱処理を施す前と後における前記記録媒体の両端部の距離を検出することにより、前記情報を取得することを特徴とする情報処理装置。
【請求項２】
前記取得手段は、前記所定の加熱処理を施す前と後における前記記録媒体のサイズの変化を、反射型の光学センサを用いて検出することにより、前記情報を取得することを特徴とする請求項１に記載の情報処理装置。
【請求項３】
前記記録媒体は繊維構造を有する高分子フィルムであり、前記取得手段は前記情報としてガラス転移点を取得することを特徴とする請求項１または２に記載の情報処理装置。
【請求項４】
前記取得手段は、前記所定の加熱処理を施す前に前記記録媒体の状態を検出した結果と、前記加熱処理手段による加熱温度を段階的に変化させて前記所定の加熱処理を施した後の前記記録媒体の状態を検出した結果と、に基づき、前記情報を取得することを特徴とする請求項１ないし３のいずれか１項に記載の情報処理装置。
【請求項５】
ユーザに情報を通知する通知手段をさらに備え、
前記加熱処理手段による前記加熱温度が予め定められた最低温度に設定されたときに、前記取得手段により取得された情報が前記記録媒体の分子構造の変化を示す場合、前記通知手段は、前記記録媒体に対して定着処理を施すことができないことを示す情報をユーザに通知することを特徴とする請求項４に記載の情報処理装置。
【請求項６】
前記加熱処理手段により前記加熱温度を予め定められた最低温度に設定されたときに、前記取得手段により取得された情報が前記記録媒体の分子構造の変化を示す場合、前記記憶手段は、前記記録媒体のための定着温度情報を記憶しないことを特徴とする請求項４に記載の情報処理装置。
【請求項７】
前記加熱処理手段により前記加熱温度を予め定められた最低温度に設定されたときに、前記取得手段により取得された情報が前記記録媒体の分子構造の変化を示す場合、前記記憶手段は、前記記録媒体のための定着温度情報として、定着のための加熱処理を行わないことを示す情報を記憶することを特徴とする請求項４に記載の情報処理装置。
【請求項８】
前記記憶手段は、前記記録媒体に対応する定着のための時間を前記定着温度情報に基づいて取得し、前記記録媒体のための定着時間情報として更に記憶することを特徴とする請求項１ないし７のいずれか１項に記載の情報処理装置。
【請求項９】
前記記憶手段は、複数種類の記録媒体と、該複数種類の記録媒体のそれぞれに対応する前記定着温度情報と、を対応づけて記憶することを特徴とする請求項１ないし８のいずれかに記載の情報処理装置。
【請求項１０】
前記記憶手段は、記憶されていない記録媒体と、該記録媒体に対応する前記定着温度情報と、を対応づけて新たに記憶することを特徴とする請求項１ないし９のいずれかに記載の情報処理装置。
【請求項１１】
前記色材は溶剤中に顔料と樹脂を含むことを特徴とする請求項１ないし１０のいずれか１項に記載の情報処理装置。
【請求項１２】
前記画像記録装置は、前記色材を記録媒体に付与するための記録ヘッドを備えることを特徴とする請求項１ないし１１のいずれか１項に記載の情報処理装置。
【請求項１３】
加熱処理を施すことによって記録媒体に色材を定着させて画像を記録する画像記録装置のための情報処理装置であって、
加熱処理手段によって記録媒体に所定の加熱処理を施した結果に基づき、前記記録媒体の分子構造が変化する熱変化温度に関する情報を取得する取得手段と、
前記取得手段により取得された前記情報と対応する熱変化温度よりも低い温度を、前記記録媒体に対応づけた前記加熱処理のための定着温度情報として記憶する記憶手段と
を備え、前記取得手段は、前記所定の加熱処理を施す前と後における前記記録媒体に記録された複数のマーカー間の距離を検出することにより、前記情報を取得することを特徴とする情報処理装置。
【請求項１４】
加熱処理を施すことによって記録媒体に色材を定着させて画像を記録する画像記録装置のための情報処理装置であって、
加熱処理手段によって記録媒体に所定の加熱処理を施した結果に基づき、前記記録媒体の分子構造が変化する熱変化温度に関する情報を取得する取得手段と、
前記取得手段により取得された前記情報と対応する熱変化温度よりも低い温度を、前記記録媒体に対応づけた前記加熱処理のための定着温度情報として記憶する記憶手段と
を備え、前記取得手段は、前記所定の加熱処理を施す前と後における前記記録媒体の複屈折率の変化を、透過型の光学センサを用いて検出することにより、前記情報を取得することを特徴とする情報処理装置。
【請求項１５】
前記透過型の光学センサは、発光素子と、該発光素子が発光して検出対象の記録媒体を透過した光を受光する受光素子と、前記発光素子と前記検出対象の記録媒体の間に配置された第１の直線偏光素子と、前記受光素子と前記検出対象の記録媒体の間に配置された第２の直線偏光素子と、を有することを特徴とする請求項１４に記載の情報処理装置。
【請求項１６】
加熱処理を施すことによって記録媒体に色材を定着させて画像を記録する画像記録装置のための情報処理方法であって、
加熱処理手段によって記録媒体に所定の加熱処理を施した結果に基づき、前記記録媒体の分子構造が変化する熱変化温度に関する情報を取得する取得工程と、
前記取得工程で取得された前記情報と対応する熱変化温度よりも低い温度を、前記記録媒体に対応づけた前記加熱処理のための定着温度情報として記憶する記憶工程と
を有し、前記取得工程は、前記所定の加熱処理を施す前と後における前記記録媒体の両端部の距離を検出することにより、前記情報を取得することを特徴とする情報処理方法。
【請求項１７】
加熱処理を施すことによって記録媒体に色材を定着させて画像を記録する画像記録装置のための情報処理方法であって、
加熱処理手段によって記録媒体に所定の加熱処理を施した結果に基づき、前記記録媒体の分子構造が変化する熱変化温度に関する情報を取得する取得工程と、
前記取得工程により取得された前記情報と対応する熱変化温度よりも低い温度を、前記記録媒体に対応づけた前記加熱処理のための定着温度情報として記憶する記憶工程と
を有し、前記取得工程は、前記所定の加熱処理を施す前と後における前記記録媒体に記録された複数のマーカー間の距離を検出することにより、前記情報を取得することを特徴とする情報処理方法。
【請求項１８】
加熱処理を施すことによって記録媒体に色材を定着させて画像を記録する画像記録装置のための情報処理方法であって、
加熱処理手段によって記録媒体に所定の加熱処理を施した結果に基づき、前記記録媒体の分子構造が変化する熱変化温度に関する情報を取得する取得工程と、
前記取得工程により取得された前記情報と対応する熱変化温度よりも低い温度を、前記記録媒体に対応づけた前記加熱処理のための定着温度情報として記憶する記憶工程と
を有し、前記取得工程は、前記所定の加熱処理を施す前と後における前記記録媒体の複屈折率の変化を、透過型の光学センサを用いて検出することにより、前記情報を取得することを特徴とする情報処理方法。
【請求項１９】
加熱処理を施すことによって記録媒体に色材を定着させて画像を記録する画像記録装置のための情報処理装置であって、
加熱処理手段によって記録媒体に所定の加熱処理を施した結果に基づき、前記記録媒体のサイズが変化する熱変化温度に関する情報を取得する取得手段と、
前記取得手段により取得された前記情報と対応する熱変化温度よりも低い温度を、前記記録媒体に対応づけた前記加熱処理のための定着温度情報として記憶する記憶手段と
を備え、前記取得手段は、前記所定の加熱処理を施す前と後における前記記録媒体の両端部の距離を検出することにより、前記情報を取得することを特徴とする情報処理装置。
【請求項２０】
加熱処理を施すことによって記録媒体に色材を定着させて画像を記録する画像記録装置のための情報処理方法であって、
加熱処理手段によって記録媒体に所定の加熱処理を施した結果に基づき、前記記録媒体のサイズが変化する熱変化温度に関する情報を取得する取得工程と、
前記取得工程により取得された前記情報と対応する熱変化温度よりも低い温度を、前記記録媒体に対応づけた前記加熱処理のための定着温度情報として記憶する記憶工程と
を有し、前記取得工程は、前記所定の加熱処理を施す前と後における前記記録媒体に記録された複数のマーカー間の距離を検出することにより、前記情報を取得することを特徴とする情報処理方法。
【発明の詳細な説明】
【技術分野】
【０００１】
本発明は、熱定着を行う記録装置に関する。特に熱定着のための加熱処理を記録媒体の種類に応じて最適化するための構成に関する。
【背景技術】
【０００２】
記録媒体に色材を塗布することにより画像を形成する記録装置では、記録媒体に加熱処理することによって画像を定着させるものがある。このような加熱処理においては、記録媒体に付与する加熱量が大きいほど、色材に含まれる溶媒の蒸発や樹脂の溶融および膜形成が促され、短時間且つ確実に画像が定着する傾向がある。
【０００３】
しかし、加熱温度によっては記録媒体の分子構造が変化してしまい、記録媒体の変形や記録された画像の変色などが招致されてしまう場合もある。よって、変形や変色などを招致させず、好適な定着が得られる程度に加熱量を調整することが好ましいが、このような好適な加熱量は、記録媒体の材質に依存する。更に、同じ材質であっても、記録媒体の厚みやサイズによって熱容量も変化する。よって、熱定着を行う記録装置では、使用する記録媒体に応じて熱処理を最適化すること、すなわち最適な加熱温度や加熱時間を記録媒体ごとに設定することが求められる。
【０００４】
特許文献１には、複数種類の記録媒体に対応づけた例えば定着温度のようなパラメータを予め記憶しておくとともに、カスタム紙種のためのパラメータをユーザが入力し設定することが可能な構成が開示されている。
【先行技術文献】
【特許文献】
【０００５】
【特許文献１】特開２００３−２７０８７２号公報
【発明の概要】
【発明が解決しようとする課題】
【０００６】
しかしながら、特許文献１の方法では、取り扱おうとするカスタム紙種のための適切なパラメータすなわち適切な定着温度などをユーザが設定しなければならない。このため、未知の記録媒体に記録しようとする場合には、ユーザの試行錯誤が繰り返され、不良品の出力や生産性を低下させてしまうおそれがあった。
【０００７】
本発明は上記問題点を解消するためになされたものである。よってその目的とするところは、未知の記録媒体に記録する場合であっても、記録時における加熱処理を好適に制御することが可能な記録装置を提供することである。
【課題を解決するための手段】
【０００８】
そのために本発明は、加熱処理を施すことによって記録媒体に色材を定着させて画像を記録する画像記録装置のための情報処理装置であって、加熱処理手段によって記録媒体に所定の加熱処理を施した結果に基づき、前記記録媒体の分子構造が変化する熱変化温度に関する情報を取得する取得手段と、前記取得手段により取得された前記情報と対応する熱変化温度よりも低い温度を、前記記録媒体に対応づけた前記加熱処理のための定着温度情報として記憶する記憶手段とを備え、前記取得手段は、前記所定の加熱処理を施す前と後における前記記録媒体の両端部の距離を検出することにより、前記情報を取得することを特徴とする。
【発明の効果】
【０００９】
本発明によれば、未登録の記録媒体が装着された場合であっても、定着処理に最適な温度を当該記録媒体に対応づけて的確に設定し、記録動作時における定着処理を好適に制御することができる。
【図面の簡単な説明】
【００１０】
【図１】（ａ）および（ｂ）は、記録装置のプリンタ部を示す図である。
【図２】（ａ）および（ｂ）は、記録装置の制御の構成例を示す図である。
【図３】（ａ）および（ｂ）は、第１実施形態で使用するセンサを説明する図である。
【図４】（ａ）および（ｂ）は、記録モードパラメータの格納状態を示す図である。
【図５】第１実施形態における登録シーケンスを説明するためのフローチャートである。
【図６】記録媒体の厚みや重さの対応関係を示す図である。
【図７】第１実施形態における熱分析処理を説明するためのフローチャートである。
【図８】（ａ）および（ｂ）は、第２実施形態で使用するセンサを説明する図である。
【図９】第２実施形態における熱分析処理を説明するためのフローチャートである。
【発明を実施するための形態】
【００１１】
（第１の実施形態）
図１（ａ）および（ｂ）は、本実施形態で使用可能な記録装置１０２のプリンタ部１００を示す図である。図１（ａ）は斜視図、同図（ｂ）は断面図をそれぞれ示している。給紙部２３に巻きつけられた記録媒体Ｓは、給紙部２３や装置内に配された各種ローラの回転に伴って装置内を搬送され、巻取りローラ２４に巻き取られる。搬送経路の途中には、記録データに従って記録媒体Ｓに色材を付与する記録ヘッド７、記録ヘッド７によって記録中の記録媒体Ｓを支持するプラテン２、記録中や記録後の記録媒体Ｓを加熱するヒータ２５、２７などが配備されている。以下、詳しく説明する。
【００１２】
給紙部２３より剥離された連続紙としての記録媒体Ｓは、搬送ローラ１１とピンチローラ１６のローラ対に挟持され、筐体１の上に配置された平面板から成るプラテン２上に送られる。記録媒体Ｓは、プラテン２上で記録ヘッド７によって所定の画像が記録され、その後、排紙ローラ３２と従動ローラ３１のローラ対に挟持され、ターンローラ３３でその搬送方向が大きく変更された後、巻取りローラ２４にて回収される。搬送ローラ１１と排紙ローラ３２の駆動源は搬送モータ（不図示）であり、巻取りローラ２４の駆動源は巻取りモータ２９である。
【００１３】
プラテン２には、所々に穴状の吸引口３４が設けられており、吸引口３４のそれぞれはダクトに連通している。記録動作を行っている最中、ダクト４の内部は隣接して設けられた吸引ファン３６の回転により負圧が生成される。このため、プラテン２上の記録媒体Ｓは、その背面が複数の吸引口３４を介して−Ｚ方向に吸引され、平滑性が維持されるようになっている。なお、本実施形態において、プラテン２は、搬送される記録媒体Ｓに比べて明度が十分に低い材質で形成されているものとする。
【００１４】
プラテン２上の記録媒体Ｓにはインクジェット方式の記録ヘッド７が対向しており、記録ヘッド７が搭載されているキャリッジ６はガイドシャフト５に沿って±Ｘ方向に往復移動可能になっている。このようなキャリッジ６の往復移動は、キャリッジモータ８の回転力がベルト９を伝達して実現される。Ｘ方向への移動の途中、記録ヘッド７が画像データに従ってインクを吐出することにより、記録媒体Ｓに１バンド分の画像が記録される。このような１バンド分の記録走査が完了すると上述した複数のローラがほぼ同時に回転し、記録媒体Ｓを１バンドに相当する距離だけＹ方向に搬送する。以上のような記録ヘッド７による記録走査と記録媒体Ｓの搬送動作を交互に繰り返すことにより、記録媒体Ｓには段階的に画像が形成される。なお、記録ヘッド７からインクを吐出させるための方式としては、発熱体を用いたサーマルジェット方式や圧電素子を用いたピエゾ方式など、さまざまな方式を採用することができる。本実施形態で採用するインクは、溶剤中に顔料と樹脂を含むものとする。
【００１５】
キャリッジ６の−Ｘ方向の端部には、熱分析において記録媒体の状態を測定するためのセンサ２０４が取り付けられている。センサ２０４の詳細については後述するが、基本的には発光素子と受光素子を備えた光学センサである。
【００１６】
記録ヘッド７よりも＋Ｚ方向上方であって、記録中である記録媒体Ｓの位置には第１のヒータ２５と、これをカバーする第１のヒータカバー２６が配備されている。また、第１のヒータ２５や第１のヒータカバー２６に対し＋Ｙ方向に隣接する位置には、記録完了後の記録媒体Ｓを加熱するための第２のヒータ２７およびこれをカバーする第２のヒータカバー２８が配備されている。第１のヒータカバー２６および第２のヒータカバー２８は、第１のヒータ２５および第２のヒータ２７が発した熱を記録媒体Ｓの表面に効率よく照射する機能と、それぞれのヒータを保護する役割を担っている。記録ヘッド７による記録中において記録媒体Ｓは第１のヒータ２５による加熱処理が施され、記録完了後には第２のヒータ２７による加熱処理が施される。
【００１７】
第１のヒータ２５は、記録直前、記録中、記録直後の記録媒体Ｓを均一に加熱し、記録媒体Ｓに付与されたインクに含まれる水分を蒸発させ、その粘度を上昇させる。第１のヒータ２５の加熱処理においては、インクを完全に定着させる必要は無く、インクの流動性をある程度低下させれば良い。本実施形態では、記録媒体Ｓが５０℃程度まで上昇するように第１のヒータの発熱温度を設定する。第１ヒータ２５としては、温風ヒータ、赤外線ヒータ、記録媒体に接触する熱伝導型ヒータなど種々のものを用いることができるが、特に赤外線ヒータが好ましい。
【００１８】
第１のヒータよりも搬送方向の下流側に配された第２のヒータ２７は、第１のヒータによる熱処理が施された後の記録媒体Ｓを、第１のヒータよりも更に高い温度で加熱してインクを完全に定着させる。すなわち、記録媒体Ｓに付与されたインクの水分を更に蒸発させるとともに、含有される樹脂を溶融し被膜を形成させる。
【００１９】
本実施形態で用いる第１のヒータ２５および第２のヒータ２７は、その発熱温度が複数段階で調整可能になっている。後述する熱分析では、第１のヒータ２５の発熱温度を段階的に切り替えて、対象となる記録媒体に適切な定着温度を判断する。実際の記録動作時には、記録媒体ごとに設定された定着温度に基づいて、第２のヒータ２７の発熱温度が調整される。
【００２０】
図２（ａ）および（ｂ）は、本実施形態における記録装置１０２の制御の構成例を示す図である。図２（ａ）は、図１（ａ）および（ｂ）で説明したプリンタ部１００に対し、ホスト装置１０１が接続された形態を示している。この場合、以下に説明する本発明の特徴的な処理は、主にホスト装置１０１がプリンタ部１００に備えられた各種機構を制御することによって実現される。
【００２１】
一方、図２（ｂ）は、外部に接続された画像提供装置１１４が、コンピュータ機能を有する記録装置１０２に画像データを提供する形態を示している。この場合、本実施形態の特徴的な処理は、主に記録装置１０２に備えられたコントローラ１１５が実行する。コンピュータ機能を有する記録装置１０２に、デジタルカメラやＵＳＢメモリなどが接続されたような形態がこれに該当する。本実施形態は、図２（ａ）および（ｂ）のいずれの形態であっても対応することができる。以下、図２（ａ）を例に、個々の機構について詳しく説明する。
【００２２】
ホスト装置１０１に備えられたＣＰＵ１０４は、記憶装置１０６に記憶されているプログラムに従い作業メモリ１０５を利用しながら、記録装置１０２全体を制御する。記憶装置１０６には、ＯＳをはじめ、本実施形態で実行するプログラムや各種パラメータのほか、各種アプリケーションソフトなどが記憶されている。本発明の特徴的な処理を行うためのプログラムや、後述する記録媒体ごとに対応づけられた各種パラメータも、記憶装置１０６に格納されている。記憶装置１０６としては、ハードディスクやフラッシュＲＯＭに代表されるメモリを挙げることができる。
【００２３】
ユーザインターフェースとなる操作部１０３は、キーボードやマウス等の入力機器やディスプレイ等の表示機器を含むものである。ユーザは、操作部１０３を介して必要なパラメータやコマンドを入力する一方、表示機器を介して記録装置１０２の情報を取得することが出来る。データ入出力装置１０７は、記録装置１０２が記録するための画像データを入力したり、ホスト装置１０１で生成されたパラメータを出力したりする。
【００２４】
プリンタ部１００において、図１で説明した記録ヘッド７やそのドライバを含む記録構成、プラテン２や吸引ファン３６を含む支持構成、各種ローラや給排紙機構を含む搬送構成は、記録部１１０に含まれる。また、第１、第２のヒータとそのドライバを含む加熱処理構成は定着部１１１に含まれる。制御部１１２は、ＣＰＵ１０４の指示のもと、プリンタ部１００の各機構を制御する。データ転送部１０８はホスト装置１０１で生成された印刷ジョブを受け取り、制御部１１２に転送する。印刷ジョブには、画像データのほか当該画像データを記録する際の記録方法を指定する記録モードパラメータが含まれている。さらに、この記録モードパラメータには、画像データに画像処理を施す際に必要な画像処理パラメータと、記録動作に必要なメカパラメータとが含まれている。メカパラメータには、例えばキャリッジ６の速度を指定するパラメータや記録媒体Ｓの搬送速度を指定する搬送パラメータのほか、定着処理パラメータなどが含まれている。
【００２５】
制御部１１２は、このような印刷ジョブを解析し、画像データを画像処理パラメータとともに画像処理部１０９に転送する。画像処理部１０９は、受け取った画像処理パラメータに従って画像データに所定の画像処理を行い、記録部１１０が記録可能な記録データを生成する。記録動作の際、制御部１１２は、画像処理部１０９が生成した記録データに従って記録ヘッド７からインクを吐出させるとともに、メカパラメータに従って各種機構のメカ動作を制御する。
【００２６】
測定部１１３は、図１で説明したセンサ２０４およびそのドライバを含んでいる。測定部１１３は、キャリッジ６を移動してセンサ２０４の位置を調整しながら、記録媒体Ｓの有無や幅を検出することができる。検出結果は、データ転送部１０８を介してホスト装置１０１に送信される。
【００２７】
図２（ｂ）の構成の場合、個々のブロックは図２（ａ）と同様の機能を有する。但し、図２（ｂ）の場合は、図２（ａ）に示すホスト装置１０１の機能が、記録装置１０２に包含された状態になっており、コントローラ１１５が装置全体の処理を行う。データ入出力装置１０７は、ＣＤやＭＯに代表される可搬性のある記憶装置やＬＡＮカードに代表されるデータ通信機器である。データ入出力装置１０７は、印刷コマンドや新規記録媒体追加のコマンドを、外部に接続された画像提供装置１１４から受ける際のインターフェースとして使用される。例えば、データ入出力装置１０７に装着されたＣＤやＭＯあるいはＬＡＮカードより、記録対象データを取得可能であり、印刷コマンドや新規記録媒体追加のコマンドをユーザがＵＩ１１６から入力可能である場合は、画像提供装置１１４は必須な構成ではない。本実施形態の記録装置は、図２（ａ）および（ｂ）のいずれの形態も採ることが出来る。
【００２８】
図３（ａ）および（ｂ）は、本実施形態におけるセンサ２０４の構成およびその働きを説明するための図である。  図３（ａ）は、センサ２０４の構成概念図である。センサ２０４は、発光素子としてＬＥＤ３０１を、受光素子としてフォトダイオード３０２（以下ＰＤ３０２と称す）を備えた光学センサであり、ＬＥＤ３０１が発光し記録媒体Ｓで反射した光をＰＤ３０２が受光する構成になっている。このようなセンサ２０４は、制御部１１２によって制御され、取得した結果はホスト装置１０１に送信される。なお、ここでは一組のＬＥＤ３０１とＰＤ３０２を示したが、本実施形態のセンサ２０４は発光色が異なる３つのＬＥＤとそれぞれの反射光を受光するＰＤを備えるものとし、対象物の測色も行えるようになっている。
【００２９】
図３（ｂ）を参照する。センサ２０４はキャリッジ６の側端部に取り付けられており、キャリッジ６がＸ方向に移動する領域の記録媒体Ｓの状態を検出することができる。制御部１１２は取得した検出結果をホスト装置１０１に送信し、ホスト装置１０１のＣＰＵ１０４は、その結果に基づいて様々な判断処理を行う。例えば、既に説明したように、本実施形態のプラテン２は、記録媒体Ｓに比べて明度が十分に低い材質で形成されている。このため、記録媒体Ｓが存在する位置と存在しない位置とではＰＤ３０２が受光する光量が大きく異なることになる。よってＣＰＵ１０４は、測定部１１３の検出領域における記録媒体Ｓの有無や記録媒体のＸ方向の幅を判断することが出来る。
【００３０】
以下、ＣＰＵ１０４が実行する記録媒体登録シーケンスについて詳しく説明する。図４（ａ）および（ｂ）は、記憶装置１０６における記録媒体ごとに対応づけられた記録モードパラメータの格納状態を示す図である。記録モードパラメータは、画像処理パラメータとメカパラメータから構成されている。画像処理パラメータは、画像処理部１０９が所定の画像処理を実行する際に参照するパラメータであり、具体的にはルックアップテーブル（あるいは適切なルックアップテーブルを指定するパラメータ）や、量子化処理の際に用いる係数などが含まれている。同様の色材（インク）を用いて記録した場合でも記録媒体の種類によって色再現性が異なることから、画像処理パラメータは記録媒体の種類に応じて用意されている。一方、メカパラメータは、記録動作時の搬送速度（すなわち搬送モータ３の駆動力）や記録ヘッド７の高さ方向（Ｚ方向）の位置を設定する搬送パラメータと、定着部１１１におけるヒータの加熱温度や加熱時間を設定する定着動作制御パラメータを含んでいる。これらメカパラメータも、記録媒体に応じて適切に調整されることが好ましい。このため、本実施形態では、図４（ａ）に示すように、画像処理パラメータについてもメカパラメータについても、記録媒体の種類に対応づけて記憶領域を用意している。
【００３１】
なお、画像処理パラメータとメカパラメータのそれぞれは、高画質モードや高速モードのような要求される品質に対応づけて複数ずつ用意されていても良い。このような場合、ＣＰＵ１０４は、指定された品質に基づいて、利用する画像処理パラメータとメカパラメータをそれぞれのメモリ領域から抽出し、上述した記録モードパラメータとして提供する。一方、未知の記録媒体に対して新たな記録媒体パラメータを生成する際は、ＣＰＵ１０４は、図４（ｂ）に示すように、未知の記録媒体のために新たな格納領域（記録媒体Ｅ）を確保する。
【００３２】
図５は、ＣＰＵ１０４が実行する登録シーケンスを説明するためのフローチャートである。本処理は、ユーザが新たに登録したい記録媒体を記録装置に装着し、操作部１０３より新規登録コマンドを入力することによって開始される。
【００３３】
本処理が開始されると、ＣＰＵ１０４はまず、ステップＳ５１において、登録済みの記録媒体の中から、類似する記録媒体の情報を仮情報として取得し、これを仮登録する。このような仮情報は、登録済みの記録媒体が羅列されたプルダウンメニューの中から、ユーザが類似する１つを選択することによって取得されれば良い。この際、ヘルプ機能などによって、図６に示すような記録媒体の厚みや重さの対応関係を表示すれば、ユーザが記録媒体を選択する際の目安とすることが出来る。例えば、新規に登録する記録媒体の厚みが２００μｍである場合、ユーザはこれに最も近い厚み２０５μｍを有する記録媒体Ｃを仮登録すれば良い。また、新規に登録する記録媒体の重さが２００ｇ／ｍ2である場合、ユーザはこれに最も近い重さ２３０ｇ／ｍ2を有する記録媒体Ｂを仮登録すれば良い。このような仮情報を取得すると、ＣＰＵ１０４は、図４（ｂ）に示すように、記憶装置１０６内に新規に登録する記録媒体のための領域（記録媒体Ｅ）を確保する。そして、得られた仮登録情報（画像処理パラメータおよびメカパラメータ）を複製し、ここに記憶する。
【００３４】
ステップＳ５２において、ＣＰＵ１０４は熱分析処理を実行する。そして、「記録媒体Ｅ」のための定着動作制御パラメータを生成し、これを「記録媒体Ｅ」のための領域に記憶する。定着動作制御パラメータは、記録媒体Ｓの定着に必要な熱量情報のほか、ヒータの発熱温度を定める定着温度制御パラメータと、ヒータによる加熱時間を定める定着時間制御パラメータから構成されている。シリアル型のプリンタ部１００を備える本実施形態では、記録ヘッド７による記録走査と記録走査の間の待機時間が定着時間制御パラメータとして設定される。ステップＳ５２では、熱解析処理によって、まず記録媒体Ｅに対応する定着温度制御パラメータを求め、その後設定された定着温度制御パラメータと仮登録された熱量情報に基づいて定着温度制御パラメータを算出する。
【００３５】
ここで、定着温度制御パラメータについて簡単に説明する。記録媒体となる高分子フィルムの製造工程では、一般に、延伸と呼ばれる一定方向へ引き延ばす加工が行われる。その際、フィルムの分子が一定方向に揃うことで配向結晶化と呼ばれる特徴的な結晶化が起こり、繊維構造と呼ばれる特異な構造が形成される。このような繊維構造は、常温ではエントロピーが低く抑えられた状態にあるが、ガラス転移点と呼ばれる温度を超えると、エントロピーが増大し非晶質の分子が動けるようになる。その結果、エントロピー弾性（ゴム弾性）による収縮が起こり、フィルムの変形や剛性変化が招致される。本実施形態の熱解析では、このような繊維構造の温度依存性を利用して、個々の記録媒体におけるガラス転移点を把握し、実際の記録動作時において、ガラス転移点を超えない程度の高温度加熱で効率的な定着処理を行えるようにする。
【００３６】
図７は、本実施形態においてＣＰＵ１０４が実行する熱分析処理を説明するためのフローチャートである。本実施形態の熱分析処理では、第１のヒータ２５のみを用い、その定着温度制御パラメータを段階的に異ならせながら、適切な加熱温度すなわち適切な定着温度制御パラメータＰを設定する。
【００３７】
本処理が開始されると、ＣＰＵ１０４は、まずステップＳ１００において、定着温度制御パラメータＰを０に設定する。本実施形態において、定着温度制御パラメータＰは−１〜１０の範囲で設定可能であり、定着温度制御パラメータＰ＝０である場合、第１のヒータは駆動されないようになっている。そして、ステップＳ１０１では、既に給紙部２３に搭載されている新規登録対象の記録媒体Ｓをセンサ２０４によって測定可能な位置まで給紙する。
【００３８】
ステップＳ１０２において、ＣＰＵ１０４は、キャリッジ６をＸ方向に移動させながらセンサ２０４を用いて供給された記録媒体ＳのＸ方向の幅を測定し、初期測定値Ｗとして一時保存する。この際、初期測定値Ｗは、その後加熱処理を施していく過程でその変化が確認できる量であれば良く、必ずしも記録媒体Ｓの両端部の距離でなくても構わない。例えば図３（ｂ）に見るように、Ｘ方向に分離する２つのマーカー２０５を記録ヘッド７で記録し、この距離を初期測定値Ｗとすることもできる。記録媒体Ｓが透明なフィルムである場合は、このような方法が有効である。
【００３９】
ステップＳ１０３では、定着温度制御パラメータＰ＝０を維持したまま、第１のヒータを５０℃に調整する。この温度は、実際の記録動作時において記録媒体の種類によらず第１のヒータ２５が駆動される温度である。
【００４０】
ステップＳ１０４において、ＣＰＵ１０４は、キャリッジ６をＸ方向に移動させながらセンサ２０４を用いてステップＳ１０３で加熱処理された後の記録媒体ＳのＸ方向の幅（あるいはマーカー２０５の距離）を再度測定し、加熱後測定値Ｗ´として記憶する。既に前回の測定値Ｗ´が記憶されている場合はこれを更新する。
【００４１】
ステップＳ１０５において、ＣＰＵ１０４は、ステップＳ１０４で取得した加熱後測定値Ｗ´とステップＳ１０２で測定した初期測定値Ｗの差分Ｄを予め定められている閾値Ｔと比較し、差分Ｄが閾値Ｔ以上であるか否かを判断する。差分Ｄが閾値Ｔ以上である場合、ステップＳ１０３の加熱処理の前後で記録媒体のサイズが変化した、すなわち記録媒体Ｓの分子構造は変化したと判断し、ステップＳ１１０にジャンプする。一方、差分Ｄが閾値Ｔより小さい場合、記録媒体Ｓの分子構造は加熱処理によって変化していない即ちガラス転移点に達していないと判断し、更に高温度の加熱処理での熱解析を行うためにステップＳ１０６に進む。
【００４２】
ステップＳ１０６において、Ｐは１だけインクリメントされる。本実施形態では定着温度制御パラメータＰは前述の通り−１〜１０の値を取ることができ、Ｐ＝１の場合、第１のヒータは６０℃に調整されるようになっている。この６０℃という値は、本実施形態で使用する色材（インク）において、含有する樹脂が溶融可能な最低温度となっている。そして、Ｐ＝１〜１０の範囲において、定着温度制御パラメータＰが１増えるに連れて、ヒータの発熱温度が＋１０℃ずつ高い温度に設定されるようになっている。すなわち、ヒータの発熱温度は６０℃〜１５０℃の範囲で調整可能になっている。
【００４３】
ステップＳ１０７において、ＣＰＵ１０４は現在設定されている定着温度制御パラメータＰに従って第１のヒータを加熱する。続くステップＳ１０８において、ＣＰＵ１０４は、キャリッジ６をＸ方向に移動させながらセンサ２０４を用いてステップＳ１０７で加熱処理された記録媒体ＳのＸ方向の幅（あるいはマーカー２０５の距離）を再度測定し、加熱後測定値Ｗ´を更新する。
【００４４】
ステップＳ１０９において、ＣＰＵ１０４は、定着温度制御パラメータＰが最大値１０に達したか、又は、ステップＳ１０８で取得した加熱後測定値Ｗ´とステップＳ１０２で測定した初期測定値Ｗの差分Ｄが予め定められている閾値Ｔ以上であるかを判断する。定着温度制御パラメータＰが最大値１０に達しておらず、且つ、差分Ｄが閾値Ｔより小さい場合、記録媒体Ｓの分子構造は加熱処理によって変化していない即ちガラス転移点に達しておらず、更に高温度の加熱処理での熱解析が必要と判断し、ステップＳ１０６に戻る。
【００４５】
一方、定着温度制御パラメータＰが最大値１０に達した、又は、差分Ｄが閾値Ｔ以上である場合、更に高温度の加熱処理での熱解析は必要ないと判断し、ステップＳ１１０に進む。また、ステップＳ１０５において、差分Ｄが閾値Ｔ以上であると判断された場合も、ステップＳ１１０にジャンプする。ステップＳ１１０では、定着温度制御パラメータＰを現在の値から１だけデクリメントし、当該値を「記録媒体Ｅ」のための定着温度制御パラメータとして設定する。
【００４６】
ステップＳ１１１では、ステップＳ１１０で設定された定着温度制御パラメータと「記録媒体Ｅ」のために仮登録されている熱量情報に基づいて定着時間制御パラメータを算出する。具体的には、仮登録されている熱量情報（温度×時間）を、設定された定着温度制御パラメータに対応する温度で除算して加熱時間を求める。そして、得られた加熱時間に基づいて記録ヘッド７による記録走査と記録走査の間の待機時間を算出し、これを「記録媒体Ｅ」のための定着時間制御パラメータとして設定する。上記除算で使用される熱量情報は、図５のＳ５１で仮登録されたものであるが、当該情報は記録媒体の厚さおよび重さが類似する登録済みの記録媒体から得られており、熱容量に大きな差は無いものとして扱うことができる。但し、定着温度制御パラメータＰ＝−１の場合は、待機時間が０となるように定着時間制御パラメータとして設定する。以上で本処理を終了する。
【００４７】
なお、定着時間制御パラメータの算出方法はこの方法に限定されるものではない。定着時間制御パラメータは、定着温度制御パラメータに対し１対１で対応づけられた状態で、予め記憶されていても良いし、上記とは異なる検出結果に基づいて算出されても良い。定着時間の制御方法についても、記録走査間の待機時間を利用するものでなくても良い。例えば、記録動作時におけるキャリッジ６の走査速度を調整することによっても、定着時間すなわち第２のヒータによる照射時間を調整することはできる。いずれにせよ、対象となる記録媒体の定着処理を行う際の定着時間情報に基づいて定着時間制御パラメータが設定されれば良い。
【００４８】
上記フローチャートによれば、例えば、定着温度制御パラメータがＰ＝３（発熱温度８０℃）の時に、ステップＳ１０９で差分Ｄが閾値Ｔを超えたと判断された場合は、対象とする記録媒体のガラス転移点は７１℃〜８０℃の間にあると推定できる。そしてステップＳ１１０では、定着温度制御パラメータはＰ＝３−１＝２（発熱温度７０℃）が設定される。つまり、ガラス転移点を超えない範囲の最も高い温度に、定着温度制御パラメータは設定される。そして、実際の記録動作時には、第１のヒータ２５が５０℃に、第２のヒータ２７が７０℃に調整された状態で記録動作が行われる。
【００４９】
また、定着温度制御パラメータがＰ＝１（発熱温度６０℃）の時に、ステップＳ１０９で差分Ｄが閾値Ｔを超えたと判断された場合、定着温度制御パラメータはＰ＝１−１＝０が設定される。つまり、実際の記録動作時には、第１のヒータ２５は５０℃に調整されるが、第２のヒータ２７は駆動されない状態で記録動作が行われる。この場合、色材の樹脂が溶融するために必要な最低温度（６０℃）には満たないが、５０℃でも溶媒の蒸発を促進することができるため、本実施形態では正常範囲とする。
【００５０】
また、上記フローチャートによれば、ステップＳ１０５で差分Ｄが閾値Ｔ以上であると判断された場合、記録媒体Ｓの分子構造は色材の粘度を上昇させるための最低温度（５０℃）で記録媒体が変形してしまったことを意味する。この場合は、ステップＳ１１０にて定着温度制御パラメータは定着温度を設定できないすなわちエラーを意味するＰ＝−１に設定される。
【００５１】
更にまた、上記フローチャートによれば、対象となる記録媒体のガラス転移点が十分高く、ヒータの発熱温度を１５０℃としても初期測定値Ｗが維持されるような場合であっても、定着温度制御パラメータは１０以上が設定されないようになっている。つまり、装置としては１５０℃まで発熱温度を設定可能としながら、登録シーケンスにおいては、発熱温度の最大値は１４０℃に抑えている。
【００５２】
図５に戻る。ステップＳ５２で定着動作制御パラメータが設定されると、ＣＰＵ１０４はステップＳ５３に進み、ステップＳ５２で設定された定着動作制御パラメータＰが正常範囲（０〜９）に含まれているか否かを判定する。正常範囲に含まれている場合、ステップＳ５４に進む。正常範囲に含まれていない場合すなわちＰ＝−１の場合は、ステップＳ５７にて所定のエラー処理を行い、本処理を終了する。具体的には、操作部１０３の表示装置を介して「記録媒体Ｅ」に対する定着処理を行うことは出来ない旨をユーザに通知し、ステップＳ５１で確保した「記録媒体Ｅ」のためのメモリ領域を開放する。但し、加熱を伴う定着処理に適応できない記録媒体であっても、送風手段など乾燥を促すための別の手段を備えたりすることによって、取り扱い上問題が起きない程度に画像を乾燥させることができる場合もある。このような場合は、第１のヒータおよび第２のヒータをともに駆動することなく、記録動作を実行する旨をユーザに通知したり、メモリ領域に記憶したりしてもよい。
【００５３】
続くステップＳ５４において、ＣＰＵ１０４は、「記録媒体Ｅ」のための搬送パラメータを生成する。具体的には、仮登録されたメカパラメータを用いて、搬送調整のための所定のテストパターンを記録し、Ｓ５２で設定した「記録媒体Ｅ」の定着動作制御パラメータを用いて定着処理を行う。そして、定着後の画像を測定部１１３を用いて検出することにより、適切な搬送パラメータを取得し、これを「記録媒体Ｅ」のための搬送パラメータとして格納する。以上のような搬送動作のためのパターン記録や読み取り方法、また読み取った結果に基づいたパラメータの算出方法は公知の技術であり、本発明の特徴とするところではないので、ここでは詳細な説明を省略する。
【００５４】
ステップＳ５５において、ＣＰＵ１０４は、「記録媒体Ｅ」のための画像処理パラメータを生成する。具体的には、ステップＳ５４で設定された搬送パラメータに従った搬送動作を行いながら、複数のカラーパッチからなる所定のテストパターンを記録する。そして、ステップＳ５２で設定した「記録媒体Ｅ」の定着動作制御パラメータを用いて定着処理を行う。その後、測定部１１３を用いて、定着後の複数のカラーパッチを測色し、適切な画像処理パラメータを生成し、これを「記録媒体Ｅ」のための画像処理パラメータとして格納する。
【００５５】
画像処理部１０９が実行する主な画像処理としては、カラーマッチング処理、色分解処理、および量子化処理が挙げられるが、本実施形態の登録シーケンスでは、これらのうちカラーマッチング処理のためのパラメータのみを生成するものとする。そして、他のパラメータについては仮登録されている情報をそのまま設定するものとする。カラーパッチを記録する際、画像処理部１０９は、カラーパッチ用の画像データに対し、カラーマッチング処理はスルーとする。そして、色変換処理および量子化処理については仮登録されている画像処理パラメータを用いて画像処理を施し、記録ヘッド７用の吐出データを生成する。
【００５６】
ここで、カラーマッチング処理について簡単に説明する。カラーマッチング処理とは、ホスト装置１０１が設定する色空間を、記録装置１０２が記録媒体Ｓ上で表現可能な色空間に対応づけるための処理である。ホスト装置１０１から受信した色信号は、Ｒ（レッド）データ、Ｇ（グリーン）データ、Ｂ（ブルー）データの組み合わせで構成されるが、カラーマッチング処理ではこれを別の組み合わせで構成されるＲＧＢ信号に変換する。記録装置１０２が記録媒体Ｓ上で表現可能な色空間は、記録媒体の種類に応じて変化するので、カラーマッチング処理も記録媒体に適した変換処理を行うことが望まれる。ステップＳ５５においては、カラーパッチの測色結果に基づいて、「記録媒体Ｅ」のための変換テーブルを生成し、これを「記録媒体Ｅ」のための画像処理パラメータとして保存する。測色データからカラーマッチングパラメータを生成する方法は、公知の技術であり本発明の特徴事項ではないので詳細な説明は省略する。
【００５７】
図５のフローチャートに戻る。ステップＳ５６では、以上のステップで新たに生成された各種パラメータを「記録媒体Ｅ」の固有パラメータとして記憶装置の「記録媒体Ｅ」の領域に正式に登録する。この際、定着温度制御パラメータについては、パラメータ値（Ｐ＝２）とは別に、これに対応する定着温度情報（７０℃）も記録媒体Ｅに対応づけて記憶しておくことも有効である。このようにすれば、次に登録シーケンスを実行する際に、プルダウンメニューにて記録媒体種とともに対応する定着温度を表示することができ、ユーザは仮登録する際の目安とすることができる。以上で本実施形態の登録シーケンスが終了する。
【００５８】
なお、上記説明では記録ヘッド７が記録したカラーパッチを測定部１１３で読み取る構成としたが、個々のパッチの側色は別に用意された分光反射測定器を用いて行っても良い。この際、分光反射測定器は記録装置から独立していても良く、この場合、ＣＰＵ１０４は、分光反射測定器で測色した結果をデータ入出力装置１０７を介して取得することになる。また、カラーマッチングパラメータを生成するためのソフトウェアは既に多数のものが市販されており、ＣＰＵ１０４は生成済みのカラーマッチングパラメータを外部から取得する形態としても良い。
【００５９】
更に、以上では、カラーマッチング処理、色分解処理、および量子化処理のうち、カラーマッチング処理についてのみのパラメータを生成する形態で説明したが、無論このような形態は本発明を限定するものでは無い。登録シーケンスにおいては、色分解処理や量子化処理用のパラメータも記録媒体ごとに生成可能な構成としても良い。
【００６０】
以上説明した登録シーケンスを実行した後に記録媒体Ｅに対して記録動作を行う際、ＣＰＵ１０４はステップＳ５６で正式登録され記録媒体Ｅに対応づけて格納された画像処理パラメータおよびメカパラメータに従って、記録動作を行う。具体的には、画像データに対しステップＳ５５で生成された画像処理パラメータに基づいてカラーマッチング処理を施し、所定の色変換処理および量子化処理を行った記録データを生成する。そして、ステップＳ５４で登録された搬送パラメータに従って記録媒体の搬送動作を行いながら、生成した記録データを記録ヘッド７に記録させる。記録動作の最中、第１のヒータ２５の発熱温度は５０℃に設定し、第２のヒータ２７の発熱温度はステップＳ５２で登録された定着温度制御パラメータＰに設定する。更に記録動作中における各記録走査の間には、ステップＳ５６で設定した定着時間制御パラメータに基づいて待機時間を設ける。
【００６１】
このような本実施形態によれば、給紙部２３に未登録の記録媒体が装着された場合であっても、定着処理に最適な温度を当該記録媒体に対応づけて設定することができる。結果、当該未登録の記録媒体に対しても、記録時における加熱処理を好適に制御しつつ、記録動作を実行することができる。
【００６２】
（第２の実施形態）
記録媒体の製造工程時に成形される繊維構造は、光学的異方性を持つことが知られている。光学的異方性を備える構造物では複屈折を観測することができ、ガラス転移点以上の加熱によって構造物が変質すると複屈折率も変化する。本実施形態では、このような複屈折率の変化を利用して未知の記録媒体に対する熱解析を行う。
【００６３】
本実施形態においても、図１および図２で説明した記録装置１０２を使用する。また、図５で説明したフローチャートに従って、登録シーケンスを実行することができる。但し、本実施形態では、第１の実施形態のような反射型の光学センサ２０４ではなく、記録媒体の複屈折率の変化を検出可能な透過型センサ４０２を用いる。本実施形態において、登録シーケンスは透明フィルムの記録媒体にのみ対応可能である。
【００６４】
図８（ａ）および（ｂ）は、本実施形態で用いる透過型センサ４０２の構成およびその働きを説明するための図である。図８（ａ）は透過型センサ４０２の構成概念図である。本実施形態の透過型センサ４０２も、第１の実施形態と同様に発光素子としてのＬＥＤ５０１と受光素子としてのフォトダイオード５０２（ＰＤ５０２）を備えている。但し、本実施形態のＰＤ５０２は、記録媒体での反射光ではなく、ＬＥＤ５０１が発光し記録媒体Ｓおよびプラテン２のスリット５０５を透過した光を受光する。ＬＥＤ５０１と記録媒体Ｓの間には直線偏光素子Ａ５０３が、ＰＤとプラテン２の間には直線偏光素子Ｂ５０４が、偏光の向きが互いに直交するように配置されている。
【００６５】
ＬＥＤ５０１から照射され、直線偏光素子Ａ５０３にて直線偏光された光は、記録媒体Ｓを透過した後スリット５０５を通過し、更に直線偏光素子Ｂ５０４を透過し、ＰＤ５０２で受光される。プラテン２上に記録媒体Ｓが存在しない場合、偏光の向きが互いに直交する直線偏光素子Ａ５０３および直線偏光素子Ｂ５０４を通過して、ＰＤ５０２に検出される光量はほぼ０となる。しかし、プラテン２上に光学的異方性を有する記録媒体Ｓが配されている場合、記録媒体Ｓを透過する光は記録媒体Ｓの複屈折率に応じて位相が変化し、ＰＤ５０２によって検出されるようになる。すなわち、ＣＰＵ１０４は、ＰＤ５０２から得られる検出値によって、記録媒体の複屈折率やその変化を認識することができる。
【００６６】
なお、以上では、直線偏光素子Ａ５０３と直線偏光素子Ｂ５０４の偏光方向が直交していると説明したが、本実施形態では同一の記録媒体Ｓにおける複屈折率の変化すなわち相対値が検出されれば良いので、このような構成は必須ではない。また、複屈折率は光源の波長によって異なるため、複屈折率の変化量を観測する構成上、光源の波長域はできるだけ狭い方が望ましい。本実施形態では光源に単色ＬＥＤを用いることで波長域を制限しているが、キセノンランプなどを光源とした広い波長域の光を、光学フィルタを用いて制限してもよい。
【００６７】
本実施形態で使用する透過型センサ４０２は、記録媒体の幅変化ではなく複屈折率の変化を検出するので、第１の実施形態のように、幅検出のためのマーカーを記録する必要は無く、透過型センサ４０２をキャリッジ６とともに移動させる必要も無い。よって、透過型センサ４０２を図８（ｂ）に示すように、記録ヘッド７よりも＋Ｙ方向にずれた位置に配置することができ、第１のヒータ２５と第２のヒータ２７のどちらも熱分析のために使用することができる。
【００６８】
図９は、本実施形態においてＣＰＵ１０４が実行する熱分析処理を説明するためのフローチャートである。本実施形態の熱分析処理においても、定着温度制御パラメータを段階的に異ならせながら、適切な加熱温度すなわち適切な定着温度制御パラメータＰを設定する。第１の実施形態で説明した図７のフローチャートと異なる点についてのみ説明する。  ステップＳ２０１において、ＣＰＵ１０４は、既に給紙部２３に搭載されている新規登録対象の記録媒体Ｓを透過型センサ４０２によって測定可能な位置まで給紙搬送する。続くステップＳ２０２では、透過型センサ４０２を用いて当該記録媒体Ｓの複屈折率ｎを測定し、初期測定値Ｗとして一時保存する。
【００６９】
更に、ステップＳ２０４において、ＣＰＵ１０４は、透過型センサ４０２を用いてステップＳ２０３で５０℃に加熱処理された記録媒体Ｓの複屈折率ｎを再度測定し、加熱後測定値Ｗ´として記憶する。また、ステップＳ２０８において、ＣＰＵ１０４は、透過型センサ４０２を用い、ステップＳ２０７にて定着温度制御パラメータＰに従った加熱処理が施された後の記録媒体Ｓの複屈折率ｎを再度測定し、加熱後測定値Ｗ´を更新する。他の工程については、第１の実施形態で説明した図７のフローチャートと同様である。
【００７０】
以上説明した本実施形態によれば、給紙部２３に透明フィルムから成る未登録の記録媒体が装着された場合であっても、定着処理に最適な温度を当該記録媒体に対応づけて設定することができる。結果、当該未登録の記録媒体に対しても、記録時における加熱処理を好適に制御しつつ、記録動作を実行することができる。
【００７１】
なお、以上の実施形態では、ガラス転移点の前後で分子構造が変化する記録媒体を前提に説明したが、本発明の熱解析はこのような記録媒体に限定されるものではない。ゼラチンなどのタンパク質を含有する記録媒体のように、加熱によって材質が変化するような熱変化温度を有する記録媒体であれば、本発明に好適に採用することができる。
【００７２】
また、以上では、未登録の記録媒体が装着されるたびに新たなメモリ領域を用意する内容で説明したが、本発明はこのような形態に限定されるものではない。未知の記録媒体のためのメモリ領域は１つ分だけ用意し、未登録の記録媒体が装着され当該記録媒体に対する記録動作が行われている間のみ、当該記録媒体に対応する情報が上記メモリ領域に確保されている形態としても良い。
【００７３】
また、以上の実施形態で説明した定着温度パラメータＰとヒータの発熱温度範囲（６０℃〜１５０℃）の対応関係は一例であり、発熱温度の段階数なども記録装置の状態に併せて適宜調整されることが好ましい。また、定着温度パラメータＰが指し示す対象をヒータの発熱温度とするのではなく、ヒータに印加する電圧値のような物理量としても良い。
【符号の説明】
【００７４】
７    記録ヘッド
１０２    記録装置
１０４    ＣＰＵ
１０６    記憶装置
１１２    制御部
１１３    測定部
Ｓ    記録媒体
【図１】
0006700829.tif 000002
【図２】
0006700829.tif 000003
【図３】
0006700829.tif 000004
【図４】
0006700829.tif 000005
【図５】
0006700829.tif 000006
【図６】
0006700829.tif 000007
【図７】
0006700829.tif 000008
【図８】
0006700829.tif 000009
【図９】
0006700829.tif 000010